(57)【要約】【課題】  事後的に加工して変化を楽しむことができ、より面白味がある個性的な写真シールを作成することができる写真撮影編集方法及び写真撮影編集装置を提供する。【解決手段】  一以上の被写体を撮影して撮影画像を作成可能な撮影手段と、該撮影画像、又は／及び他の取得手段で取得の取得画像といった編集対象画像を編集して編集画像を作成する編集処理が実行可能な編集手段と、前記編集対象画像又は／及び前記編集画像を印刷対象画像としてシール紙に印刷する印刷処理が実行可能な印刷手段とを備えた写真撮影編集方法及び写真撮影編集装置に対して、前記シール紙を透明のシール紙で形成し、前記編集処理に、前記印刷対象画像を表示し該表示内への重ね貼り用画像の書込みを許容する重ね貼り用画像作成処理を設定し、前記印刷処理に、前記印刷対象画像と前記重ね貼り用画像とを分離して印刷する分離印刷処理を設定した。【選択図】    図１６
2005175580.tif 000002
【特許請求の範囲】
【請求項１】
一以上の被写体を撮影して撮影画像を作成可能な撮影手段と、
該撮影画像、又は／及び他の取得手段で取得の取得画像といった編集対象画像を編集して編集画像を作成する編集処理が実行可能な編集手段と、
前記編集対象画像又は／及び前記編集画像を印刷対象画像としてシール紙に印刷する印刷処理が実行可能な印刷手段とを備えた写真撮影編集装置であって、
前記シール紙を透明のシール紙で形成し、
前記編集処理に、前記印刷対象画像を表示し該表示内への重ね貼り用画像の書込みを許容する重ね貼り用画像作成処理を設定し、
前記印刷処理に、前記印刷対象画像と前記重ね貼り用画像とを分離して印刷する分離印刷処理を設定した
写真撮影編集装置。
【請求項２】
前記印刷手段で実行する印刷処理を、前記印刷対象画像と前記重ね貼り用画像とを１枚のシール紙に配置して印刷する設定とした
請求項１記載の写真撮影編集装置。
【請求項３】
前記印刷対象画像又は／及び前記重ね貼り用画像を前記印刷手段でシール紙に印刷した写真シールシートに、これらの画像が重ね貼りされる際に位置合わせが容易となる合わせガイドを備えさせた
請求項１又は２記載の写真撮影編集装置。
【請求項４】
一以上の被写体を撮影手段で撮影して撮影画像の作成を許容し、
該撮影画像、又は／及び他の取得手段で取得の取得画像等の編集対象画像に、利用者が編集手段で編集して編集画像を作成する編集処理を許容し、
前記編集対象画像又は／及び前記編集画像を印刷対象画像としてシール紙に印刷手段で印刷する写真撮影編集方法であって、
前記シール紙に透明のシール紙を使用し、
前記編集処理で、前記印刷対象画像を表示し該表示内への重ね貼り用画像の書込みを許容する重ね貼り用画像作成処理を実行し、
前記印刷処理で、前記印刷対象画像と前記重ね貼り用画像とを分離して印刷する分離印刷処理を実行する
写真撮影編集方法。
【請求項５】
前記印刷対象画像と、前記重ね貼り用画像とを１枚のシール紙に配置して前記印刷手段で印刷する
請求項４記載の写真撮影編集方法。
【請求項６】
前記印刷対象画像又は／及び前記重ね貼り用画像を前記印刷手段でシール紙に印刷した写真シールシートに、これらの画像が重ね貼りされる際に位置合わせが容易となる合わせガイドを備えさせる
請求項５記載の写真撮影編集方法。
【請求項７】
透明に形成したシール紙を備え、
請求項１から６のいずれか１つに記載の写真撮影編集方法又は写真撮影編集装置にて作成された前記印刷対象画像及び前記重ね貼り用画像を、前記印刷手段にて前記シール紙に印刷させる又は印刷させた
写真シールシート。
【請求項８】
画像が印刷される透明のシール紙と、該シール紙の真偽を識別させる識別体とを備え、
請求項１から６のいずれか１つに記載の写真撮影編集方法又は写真撮影編集装置に備えられた識別手段で、前記識別体が識別されて前記印刷対象画像及び前記重ね貼り用画像が印刷される
シール紙ユニット。
【発明の詳細な説明】
【技術分野】
【０００１】
この発明は、例えば一以上の被写体を撮影して撮影画像を編集しシール紙に印刷するような写真撮影編集方法及び写真撮影編集装置に関する。
【背景技術】
【０００２】
従来、利用者が硬貨を投入した後、筐体内に設置された背景用のカーテンを好みの色にして引き出し、様々なライティングを選択することで、高解像度のＣＣＤカメラを使用した、美白効果やグラビア風等の凝った撮影をすることができる写真撮影編集装置が提案されている。
【０００３】
また、液晶パネル上に表示した撮影画像には、利用者が付属ペン・指・スタンプ等を用いて、任意あるいは所定の文字・図形等を書き込む等の編集をすることで、個性的な編集画像をシール紙等に印刷できるものが存在する。
【０００４】
また近年では、撮影スタジオを再現したような撮影空間を提供する等により、高性能のＣＣＤカメラ及びプリンタを活かした、より美しい写りを追求した機種も発売されている（特許文献１〜３参照）。
【０００５】
【特許文献１】特開平１１−５８９２７号公報
【特許文献２】登録実用新案第３０５７６４１号公報
【特許文献３】特開２００３−２６０８２０号公報
【発明の開示】
【発明が解決しようとする課題】
【０００６】
しかし、上述のような写真撮影編集装置では、利用者の本来の髪の色や肌の色を調整して印刷された写真シールが出力される。このため、たとえ気に入った写りであっても、自分本来の頭髪の色や肌色イメージと写真シールでのイメージとの比較がしにくく、出力後に髪や肌の色合いのみを微妙に変化させて再加工する等、写真シール取得後に事後的に利用者が加工することは出来なかった。
【０００７】
この発明は、上述の問題に鑑みて、事後的に加工して変化を楽しむことができ、より面白味がある個性的な写真シールを作成することができる写真撮影編集方法及び写真撮影編集装置を提供することを目的とする。
【課題を解決するための手段】
【０００８】
この発明は、一以上の被写体を撮影手段で撮影して撮影画像の作成を許容し、該撮影画像、又は／及び他の取得手段で取得の取得画像等の編集対象画像に、利用者が編集手段で編集して編集画像を作成する編集処理を許容し、前記編集対象画像又は／及び前記編集画像を印刷対象画像としてシール紙に印刷手段で印刷する写真撮影編集方法又は写真撮影編集装置であって、前記シール紙に透明のシール紙を使用し、前記編集処理で、前記印刷対象画像を表示し該表示内への重ね貼り用画像の書込みを許容する重ね貼り用画像作成処理を実行し、前記印刷処理で、前記印刷対象画像と前記重ね貼り用画像とを分離して印刷する分離印刷処理を実行する写真撮影編集方法又は写真撮影編集装置であることを特徴とする。
【０００９】
前記撮影手段は、デジタルカメラ又はデジタルビデオカメラで構成することを含む。  
前記他の取得手段は、カメラ付き携帯電話やノートパソコン等の携帯情報端末と通信する通信手段、フレキシブルディスクや不揮発性メモリ媒体等の記憶媒体に記憶の情報を読取る記憶媒体読取手段、写真や絵画等の実画像をスキャニングするスキャナ等、画像データを取り込み可能なデータ取込手段で構成することを含む。
【００１０】
前記取得画像は、通信手段又は記憶媒体読取手段等のデータ取込手段で取得する画像、すなわち個人用デジタルカメラでの撮影やパソコンでのグラフィック制作等によるデジタル画像や、写真や絵画等の実画像をスキャナでスキャニングしたスキャニング画像で構成することを含む。
【００１１】
前記編集手段は、利用者にタッチペン又は指でタッチされた座標を取得するタッチパネルやマウス等のポインティングデバイス（座標入力手段）で構成することを含む。  
前記編集対象画像は、前記撮影画像又は／及び前記取得画像で構成することを含む。
【００１２】
前記印刷対象画像は、前記撮影画像、前記デジタル画像、又は前記スキャニング画像等の編集前の画像、又はこれら編集前の画像を編集手段で編集した編集画像、又は、前記編集前の画像又は／及び前記編集画像から選択された複数の画像で構成することを含む。
【００１３】
前記シール紙は、印刷可能層の裏側に粘着層を備えたシール媒体等、貼付可能媒体で構成することを含む。  
前記印刷手段は、インクジェットプリンタ、昇華型熱転写プリンタや溶融型熱転写プリンタ等の熱転写プリンタ、又はレーザプリンタ等、カラー、モノトーン、又はセピア（ｓｅｐｉａ）トーン等で画像を印刷する印刷装置で構成することを含む。
【００１４】
前記重ね貼り用画像は、文字や図形を描画した描画画像、又は、撮影した被写体を明度調整や色調調整等の調整によって変化させた調整撮影画像等、前記印刷用画像に重ねることを想定した画像で構成することを含む。
【００１５】
前記重ね貼り用画像作成処理は、タッチペンとタッチパネルで構成する座標入力装置等の入力手段を用いて利用者に画像作成を許容する処理で構成することを含む。
【００１６】
前記分離印刷処理は、前記印刷対象画像と前記重ね貼り用画像とを分離配置して１枚のシール紙に印刷する処理、又は、前記印刷対象画像と前記重ね貼り用画像とを別々のシール紙にそれぞれ印刷する処理で構成することを含む。別々に印刷する場合は、連続印刷又は独立印刷で構成することを含む。
【００１７】
前記連続印刷は、シール紙がロール紙であれば同一のロール紙で前記印刷対象画像と前記重ね貼り用画像とを順番に印刷することを指し、シール紙がカット紙であれば同一給紙部にスタックされたシール紙に前記印刷対象画像と前記重ね貼り用画像とを順番に印刷することを指す。
【００１８】
また前記独立印刷は、シール紙がロール紙であれば別々に備えたロール紙で前記印刷対象画像と前記重ね貼り用画像とをそれぞれのロール紙に印刷することを指し、シール紙がカット紙であれば別々の給紙部にスタックされた別々のシール紙に前記印刷対象画像と前記重ね貼り用画像とを別々に印刷することを指す。
【００１９】
なお、独立印刷の場合には、前記印刷対象画像と前記重ね貼り用画像とを同時印刷する構成としても良い。
【００２０】
またこの発明の態様として、前記印刷手段で実行する印刷処理を、前記印刷対象画像と前記重ね貼り用画像とを１枚のシール紙に配置して印刷する設定とすることができる。
【００２１】
またこの発明の態様として、前記印刷対象画像又は／及び前記重ね貼り用画像を前記印刷手段でシール紙に印刷した写真シールシートに、これらの画像が重ね貼りされる際に位置合わせが容易となる合わせガイドを備えさせることができる。
【００２２】
前記合わせガイドは、十字やＴ字等のトンボを印刷して構成する、あるいは、シール紙の台紙に予め方眼紙様に升目を印刷して構成する等、重ね貼り時に位置合わせが容易となるガイドで構成することを含む。
【００２３】
なお、台紙に升目を印刷しておく場合には、印刷対象画像と重ね貼り用画像の基準位置（例えは左上角や中心等）が方眼紙の升目に合う間隔（升目いくつか分の間隔）で印刷すると良い。
【００２４】
またこの発明は、透明に形成したシール紙を備え、前記写真撮影編集方法又は写真撮影編集装置にて作成された前記印刷対象画像及び前記重ね貼り用画像を、前記印刷手段にて前記シール紙に印刷させる又は印刷させた写真シールシートとすることができる。
【００２５】
またこの発明は、画像が印刷される透明のシール紙と、該シール紙の真偽を識別させる識別体とを備え、前記写真撮影編集方法又は写真撮影編集装置に備えられた識別手段で、前記識別体が識別されて前記印刷対象画像及び前記重ね貼り用画像が印刷されるシール紙ユニットとすることができる。
【００２６】
前記識別体は、非接触でデータを読書きするＩＤタグ、情報を記録したバーコード又はＩＣカード、又は、特定形状に形成したシール紙ユニットのユニット形状であることを含む。
【００２７】
該識別体を識別する識別手段は、ＩＤタグに記憶のデータを読取るＩＤタグリーダ、バーコードを読取るバーコードスキャナ、ＩＣカードに記憶のデータを読取るＩＣカードリーダ、特定形状に形成したシール紙ユニットのユニット形状と嵌合する嵌合部で構成することを含み、前記写真撮影編集装置に備えることを含む。
【００２８】
前記シール紙ユニットは、識別体とシール紙（印刷媒体）とを一体にして構成する、あるいは前記識別体とシール紙とを別体にして構成することを含む。
【発明の効果】
【００２９】
この発明により、写真シール作成後に該写真シールの重ね貼りによって事後的に加工を施して変化を楽しむことができ、より面白味がある個性的な写真シールを作成することができる。
【発明を実施するための最良の形態】
【００３０】
この発明の一実施形態を以下図面と共に説明する。  
まず、図１に示す正面右上から見た斜視図と共に、写真撮影編集装置の一つである写真シール作成機１の外観について説明する。
【００３１】
写真シール作成機１は、ボックス状の枠体３で囲繞した撮影空間５の正面奥側に筐体４を備えており、前記枠体３の上辺からは、側面及び正面にカーテン２（右側面は一部図示省略）を吊るして、撮影空間５を外界から隔離している。
【００３２】
前記筐体４には、正面中央に前下がりの傾斜部を形成し、該傾斜部に液晶ディスプレイで形成するモニタ１４を横並びに２つ備える。各モニタ１４にはタッチパネル１５ａをそれぞれに重ねて設け、タッチパネル１５ａの近傍にそれぞれ備えたタッチペン１５ｂで該タッチパネル１５ａをタッチさせて、利用者の入力を許容する。
【００３３】
前記傾斜部の上方の鉛直部には、中央にデジタルカメラ１２を備え、該デジタルカメラの左右にストロボ発光する照明装置１３，１３を配設する。なお、該照明装置１３は、ボックス状に形成して正面を白色半透明の拡散板で形成し、他の面を白色塗装した反射板で形成する。これにより、ストロボ発光体で奥側に向かって照射する照射光を前記反射板で反射し、その反射光を拡散板で拡散して主に被写体を略均一に照明する。
【００３４】
筐体４の右側面には、硬貨（コイン）の投入を許容する貨幣投入口１６ａを備え、該貨幣投入口１６ａの横に、作成した写真シールシートを排出する写真シール排出口１８ａを備える。
【００３５】
以上の構成により、利用者は照明装置１３の照明を受けてデジタルカメラ１２で撮影し、該撮影による撮影画像に対してタッチパネル１５ａをタッチペン１５ｂでタッチして編集し、該編集によって得た編集画像をプリンタで印刷して写真シールシート３３を提供することができる。
【００３６】
次に、図２に示す写真シール作成機１の制御回路を示す回路ブロック図と共に、写真シール作成機１の回路構成について説明する。
【００３７】
制御装置１１は、ＣＰＵ，ＲＯＭ，及びＲＡＭを内蔵して各装置の制御を実行し、該制御装置１１に接続して以下の各装置を備える。なお、制御装置１１は、記憶装置２０に格納したプログラムに従って各処理を実行し、後述の重ね貼り用画像を作成許容する編集処理も実行する。
【００３８】
デジタルカメラ１２は、制御装置１１からのシャッタ信号を受けて撮影を実行し、撮影画像を静止画データで制御装置１１に送信する。なお、撮影前のプレビュー画像については、動画データで制御装置１１に送信する。また設定信号を受信し、設定値の変更等を実行する。
【００３９】
照明装置１３は、制御装置１１からの照明制御信号（光度調整信号を含む）に従って、光度調整及び調整された光度でのストロボ発光を実行し、撮影時に被写体を略均一に照明する。なお、該照明装置１３は、ストロボ発光するストロボ照明装置（瞬間照明装置）に加えて又は替えて、蛍光灯照明装置又は／及び白熱灯照明装置で構成する連続照明装置を追加しても良い。連続照明装置を備えた場合には、撮影前のライブビュー表示によるポーズ確認で、照明イメージを事前に確認してポーズを決定することが可能となる。
【００４０】
モニタ１４は、制御装置１１からのＲＧＢ信号に従って、プレビュー、撮影画像、画像編集時のペンツールやスタンプツール等のアイテム画像等、必要な画像を表示する。
【００４１】
なお、該モニタ１４に加えて、デジタルカメラ１２の近傍にプレビュー表示を可能にするモニタを別途備えても良い。この場合は、撮影ポーズや位置の確認、ならびに照明時の色合いや光度の確認をカメラ目線で行うことができる。
【００４２】
入力装置１５は、前述のタッチパネル１５ａ（図１）とタッチペン１５ｂで構成し、利用者にタッチペン１５ｂでタッチされた座標を入力信号として制御装置１１に送信する。
【００４３】
貨幣処理装置１６は、前述の貨幣投入口１６ａ（図１）の内部に位置して設けており、該貨幣投入口１６ａから投入された硬貨等の貨幣の真偽判別及び金種判別を実行する。該真偽判別及び金種判別が正であれば、プレイを開始する起動信号を制御装置１１に送信する。
【００４４】
ＩＤタグリーダ／ライタ１７は、制御装置１１の設定情報書込みに従ってシール紙ユニット３０のＩＤタグ３１に設定情報書込みを行い、印刷残回数などの設定データを記憶させる。
【００４５】
また該ＩＤタグリーダ／ライタ１７は、制御装置１１の設定情報読込みに従って前記ＩＤタグ３１の設定情報読込みを実行し、該ＩＤタグ３１に記憶のＩＤナンバーや印刷残回数などの設定データを制御装置１１に送信し、シール紙ユニット３０の適否判断を可能にする。
【００４６】
プリンタ１８は、制御装置１１から印刷データを受信し、該印刷データのプリント画像をロール状で透明のシール紙３２に印刷して写真シールシート３３を作成し、該写真シールシート３３を写真シール排出口１８ａ（図１）から排出する。
【００４７】
カーテン部１９は、ロールカーテンの巻上げ／巻降ろしを実行するモータと、ＩＤタグと通信するＩＤタグリーダ／ライタで構成し、制御装置１１からの制御信号に従ってロールカーテンの巻上げ、巻降ろしを実行する。
【００４８】
利用者によって持込みカーテンが装着された場合には、該持込みカーテンに取り付けられたＩＤタグからカーテン情報を読み取り、該カーテン情報を入力信号として制御装置１１に送信する。
【００４９】
記憶装置２０は、アイテム画像や背景画像やペンタイプ等の描画ツールデータ、通常（デフォルト）の照明光度やプレイ料金等の各種設定データ、及び必要なプログラムを記憶する。
【００５０】
以上の回路構成により、デジタルカメラ１２で撮影し、撮影画像に文字描画や図形描画等の編集を行い編集画像を作成する編集処理を許容することができる。該編集処理では、前記撮影画像又は編集画像に重ね貼りする重ね貼り用画像の作成も入力装置１５で許容し、前記撮影画像、前記編集画像、及び前記重ね貼り用画像をプリンタ１８でシール紙３２に印刷することができる。
【００５１】
次に、図３、図４、図８、図１５に示す写真シール作成機１の制御装置１１の動作を示す処理フロー図と共に、写真シール作成機１の動作について説明する。
【００５２】
利用者によって貨幣投入口１６ａ（図１）に貨幣が投入されると（ステップｎ１）、制御装置１１は撮影処理を実行する（ステップｎ２）。
【００５３】
該撮影処理では、撮影準備している利用者をデジタルカメラ１２で動画撮影し、該動画像をモニタ１４にライブビュー表示し、同時に撮影開始ボタンも表示してポーズ決定を許容する。
【００５４】
利用者によりタッチペン１５ｂで撮影開始ボタンがタッチされるか、制限時間に到達すると、音声によってカウントダウンを行い、該カウントダウンのタイミングで照明装置１３をストロボ発光させると共に、デジタルカメラ１２のシャッタを切って撮影する。
【００５５】
該撮影によって利用者にＯＫとされた撮影画像が既定枚数（例えば４枚）得られるまで、カウントダウンから撮影までの処理を繰り返す。
【００５６】
このようにして撮影処理が終了すると、編集処理を実行し（ステップｎ３）、さらに印刷処理を実行して（ステップｎ４）、処理を終了する。なお、該印刷処理では、元画像１２５（後述）及び重ね貼り用画像１２６（後述）を、１枚のシール紙３２に別々に配置して印刷し、完成した写真シールシート３３を排出する。
【００５７】
ここで、前記編集処理について図４の処理フロー図と共に説明すると、制御装置１１はまず経過フラグをＯＦＦに設定する（ステップｐ１）。該経過フラグは、２分経過した時点で加工画像を作成するか否かを確認するためのフラグである。
【００５８】
制御装置１１は、図５の画面イメージ図に示す編集画面５０をモニタ１４に表示し、利用者による画像編集を許容する（ステップｐ２）。
【００５９】
ここで編集画面５０について説明すると、該編集画面５０は、画面中央に編集画像を表示して画像編集を許容する画像編集枠５４を備え、該画像編集枠５４の左側に描画ツール選択枠５１を備え、前記画像編集枠５４の右側に描画状態を選択する描画状態選択ボタン群６５を備える。
【００６０】
また、画像編集枠５４の下側には、描画ツールの種別を選択する描画種別選択ボタン群５８を備える。
【００６１】
該描画種別選択ボタン群５８としては、ブラシでなぞられた部分に予め用意した背景画像の一部を表示する背景ブラシツール５９、予め用意したスタンプ画像をタッチされた位置に貼り付け描画するスタンプツール６０、及びフリーハンドの曲線の描画を許容するペンツール６１を備える。
【００６２】
なお、前記スタンプ画像は、星型や円形等の幾何学図形、犬や鳥等の動物絵又は動物写真、スイカやイチゴ等の植物絵又は植物写真等、スタンプとして利用できる画像で構成する。
【００６３】
前記描画種別選択ボタン群５８のいずれか１つのボタンが利用者にタッチされて切替えられると、描画ツール選択枠５１に表示する内容を変更する。
【００６４】
該描画ツール選択枠５１は、利用者が使用する描画ツールの色や形状を選択させる複数の色形状表示部５２と、該色形状表示部５２をスクロール表示可能とするスクロールバー５３とで構成する。
【００６５】
図示する状態では、描画種別選択ボタン群５８でペンツール６１が選択されているため、描画ツール選択枠５１の色形状表示部５２にはペンツールで使用できる色を表示している。
【００６６】
なお、スタンプツール６０が選択されている場合は色形状表示部５２にスタンプ画像を表示し、背景ブラシツール５９が選択されている場合は色形状表示部５２に背景模様を表示する。
【００６７】
前記描画状態選択ボタン群６５は、透明ボタン６６、及び不透明ボタン６７、で構成する。
【００６８】
前記透明ボタン６６及び不透明ボタン６７は、描画ツールに作用し、透明／不透明選択ボタンとして機能する。すなわち、利用者によって描画ツールが使用されて描画される際に、図示するように透明ボタン６６が選択されていると下地無しの透明画像（下地無し画像）の描画を許容し、不透明ボタン６７が選択されていると下地有りの不透明画像（下地有り画像）の描画を許容する。
【００６９】
ここで下地とは、透明のシール紙３２にカラー印刷する際、カラー印刷の下にベースカラーとして白色の塗りつぶしを印刷して構成する下地を指す。
【００７０】
前記画像編集枠５４には、被写体を撮影した撮影画像５７、不透明なアイテム画像である不透明アイテム画像５５、及び、透明（半透明）なアイテム画像である透明アイテム画像５６で構成する編集画像７２を表示する。
【００７１】
編集前に表示する画像編集枠５４の初期状態では、画像編集枠５４には透明部分であることを白色と薄いグレー色の市松模様で示す透明模様６８と、被写体を切り抜いた撮影画像５７とを表示する。
【００７２】
前記撮影画像５７は、図６の画像説明図の（Ａ），（Ｂ）に示すように、初期状態で下地有りの設定がなされている。すなわち、編集開始の手前に制御装置１１がクロマキー処理を実行し、（Ａ）に示すようにデジタルカメラ１２で撮影した画像から背景色（背景カーテン）の部分を切り取って被写体人物で構成する撮影画像５７と、（Ｂ）に示すように撮影画像５７の下地となる下地画像６９を制御装置１１が事前（撮影終了後）に作成している。
【００７３】
前記透明ボタン６６が選択された状態で描画された透明アイテム画像５６は、（Ｃ）に示すように表示色レイヤー４８（落書レイヤー及び背景レイヤー）上にはカラー画像で表示するが、（Ｄ）に示すように下地レイヤー４９には表示しない。
【００７４】
ここで表示色レイヤー４８は、表示色としてＣＭＹＫ（シアン、マゼンタ、イエロー、ブラック）の４色で構成するカラー色を印刷する画層であるが、黒の１色で構成するモノトーン色、又は、所定の１色で構成する単色等、印刷後に表示する色で構成しても良い。
【００７５】
前記カラー画像（表示色画像）には、撮影した被写体画像、編集書込みした書込み画像、選択された背景画像、又はこれらの複数で構成する画像等、印刷後に表示する画像で構成する。
【００７６】
前記下地レイヤー４９は、白色等の単色で構成する下地色を印刷する画層である。  
前記下地画像６９は、下地色で印刷するための画像であり、白色等の単色で構成する２階調画像とするが、単色で構成するスケール画像（例えばホワイトスケール画像）で構成しても良い。
【００７７】
また、前記不透明ボタン６７が選択された状態で描画された不透明アイテム画像５５は、（Ｃ）、（Ｄ）に示すように表示色レイヤー４８上にカラー画像で表示すると共に、下地レイヤー４９上に１階調の塗りつぶしで形成する白色画像で表示する。
【００７８】
従って、不透明アイテム画像５５、透明アイテム画像５６、及び撮影画像５７を書込んだ状態では、（Ｅ）に示すように表示色レイヤー４８に表示し、（Ｆ）に示すように必要最小限の画像（不透明アイテム画像５５及び撮影画像５７）を白色と透明（若しくはデータ上は白黒）の２値画像で下地レイヤー４９に表示する。
【００７９】
なお、ＯＫボタン７０は編集ＯＫを入力させるボタンであり、クリアボタン７１は描画した編集内容をクリアして初期の撮影画像に戻すボタンである。
【００８０】
上述した編集処理を、制御装置１１は、経過時間が２分以上となるまで許容し（ステップｐ３）、経過時間が２分以上となれば経過フラグがＯＦＦか否かを判定する（ステップｐ４）。
【００８１】
経過フラグがＯＦＦでなければ、経過時間が３分となるまで編集処理を許容し（ステップｐ５）、経過時間が３分以上であれば編集処理を終了する。  
この実施形態では、編集処理の制限時間を３分、加工画像の作成時間を１分とした場合であり、この場合に２分経過した時点で加工画像の作成チェックを行う。なお、加工画像を作成しない場合は編集時間がそのまま３分の時間となる。
【００８２】
前記ステップｐ４で経過フラグがＯＦＦであれば、制御装置１１は編集画面５０に加工シール作成用表示６２（図５）を表示し、利用者が加工するボタン６３をタッチするか否かで加工シール（重ね貼り用シール）を作成するか否か判定する（ステップｐ６）。
【００８３】
ここで、加工シール作成用表示６２について説明すると、図７の画面イメージ説明図に示すように、編集処理の初期状態では（Ｇ）に示すように加工シール作成用表示６２を表示せず、編集処理開始から２分（所定時間）経過時点で（Ｈ）に示すように加工シール作成用表示６２を表示する。
【００８４】
このとき、加工するボタン６３がタッチ選択可能となり、該加工するボタン６３が利用者にタッチされることで加工シールの作成が可能となる。
【００８５】
なお、加工時間がある程度必要であるため、前記加工シール作成用表示６２を表示して所定時間（例えば数秒間）経過すると、（Ｉ）に示すように加工するボタン６３がタッチできないように表示変更しても良い。
【００８６】
前記ステップｐ６で加工するボタン６３がタッチされなければ、経過フラグをＯＮに設定して（ステップｐ７）、ステップｐ２にリターンし編集処理を継続許容する。
【００８７】
加工するボタン６３がタッチされれば、制御装置１１は後述する加工画像作成処理を実行し（ステップｐ８）、該加工画像作成処理の経過時間が３分以上となれば（ステップｐ９）、編集処理を終了する。
【００８８】
前記加工画像作成処理では、図８の処理フロー図に示すように、制御装置１１がまず変数［ｃｎｔ］に０を代入して初期化する（ステップｒ１）。なお、変数［ｃｎｔ］は加工画像保存枚数カウント用変数である。
【００８９】
制御装置１１は、モニタ１４に図９の画面イメージ図に示す加工画像選択画面（対象画像選択画面）７３を表示し、「加工する画像を選択してね」とメッセージを表示する（ステップｒ２）。
【００９０】
このとき、加工画像の作成対象として複数（この実施形態では４つ）の対象画像７５を表示し、該対象画像７５から１つの対象画像７５を利用者に選択させる。
【００９１】
該選択は、タッチされた対象画像７５をカーソル７４で選択表示し、ＯＫボタン７６がタッチされると選択表示されている対象画像７５に決定する。クリアボタン７７がタッチされた場合には、カーソル７４による選択表示をクリアする。
【００９２】
このようにして対象画像７５が選択されると、制御装置１１は、図１０の画面イメージ図に示す加工部分指定画面８０をモニタ１４に表示し（ステップｒ３）、加工部分を利用者に選択させる（ステップｒ４）。
【００９３】
該加工部分指定画面８０では、対象画像表示枠８１に前記対象画像７５を表示し、加工部分を図１１の説明図に示すように選択許容する。
【００９４】
すなわち、まず図１１中の（１段）に示すように、利用者が第１段階としてタッチペン１５ｂのペン先をタッチパネル１５ａに当接させる。このとき、図１０では利用者によって対象画像表示枠８１内がタッチペン１５ｂでタッチされた状態となり、タッチがタッチパネル１５ａから離されるまでの間（当接中）、タッチさた位置を中心８２ａとして選択枠８２を表示する。この第１段階でタッチ（当接）したままタッチペン１５ｂが移動された場合（以下ドラッグという）は、図１０の中心８２ａも移動する。
【００９５】
図１１の（２段）に示すように第２段階としてタッチペン１５ｂがタッチパネル１５ａから離される（開放される）と、図１１の（３段）に示すように選択部分を加工部分として表示し、ＯＫボタン８５がタッチされることで第３段階として加工部分が確定する。
【００９６】
このように加工部分の選択を許容する際、図１０の選択枠８２は、図示するように円形としてタッチペン１５ｂがタッチパネル１５ａに当接している時間で大きさを変化させて選択する構成としても良く、クロマキー処理を利用し、タッチ位置である中心８２ａを中心として顔部分等の部品を自動選択する構成としても良い。他にも、タッチペン１５ｂがドラッグされて囲まれた範囲を加工部分として選択させる公正としても良い。
【００９７】
なお、クリアボタン８６がタッチされた場合は、加工部分の選択をクリアする。また、背景指定ボタン８３と範囲指定ボタン８４は、背景指定ボタン８３が選択されれば加工部分に背景が指定でき、範囲指定ボタン８４が選択されれば加工部分として対象画像７５の範囲指定（部分指定）ができるボタンである。
【００９８】
このように加工部分を選択させる処理を１分間許容し（ステップｒ５）、１分経過しても加工部分が選択されない場合はステップｒ１３にスキップする。
【００９９】
前記ステップｒ４で加工部分が選択された場合は、図１２に示す加工画面９０を表示し、加工シール用の加工画像の作成を許容する加工処理を実行する（ステップｒ６）。
【０１００】
ここで加工画面９０について説明すると、該加工画面９０には、中央の加工画像表示枠１０５に加工画像１０６を表示し、その左側に加工ツール群９１を表示し、右側に加工済み画像１１２（加工済みの加工画像１０６）のサムネイル表示部１１１を表示する。
【０１０１】
前記加工画像表示枠１０５の下方には、拡大ボタン１０７と縮小ボタン１０８を並列表示し、その下方にＯＫボタン１０９とクリアボタン１１０を並列表示する。その左側には、カラーパレット１０４を表示し、該カラーパレット１０４の上側には色ペンボタン１０２とブラシボタン１０３を並列表示する。
【０１０２】
前記加工ツール群９１は、あざやかボタン９２、くっきりボタン９３、ちっちゃボタン９４、でかっボタン９５、ネガボタン９６、のび〜るボタン９７、のびきえ〜るボタン９８、ぼかしボタン９９、絵画風ボタン１００、及び美白ボタン１０１で構成する。
【０１０３】
前記あざやかボタン９２は、図１３の説明図の（Ｊ）に示すように、あざやか、超あざやか、究極あざやかの３段階で、タッチされた部分の画像の彩度を上げる処理を実行するツールである。
【０１０４】
前記くっきりボタン９３は、図１３の説明図の（Ｋ）に示すように、くっきり、超くっきり、究極くっきりの３段階で、タッチされた部分の画像をシャープにする処理を実行するツールである
前記ちっちゃボタン９４は、図１３の説明図の（Ｌ）に示すように、タッチされた部分を縮小表示する処理を行うツールである。なお、長押し（タッチして所定時間経過）することで縮小率がアップし、だんだん小さくなってタッチ開放時に大きさを固定す設定としている。
【０１０５】
前記でかっボタン９５は、図１３の説明図の（Ｍ）に示すように、タッチされた部分を拡大表示する処理を行うツールである。なお、長押しすることで拡大率がアップし、だんだん大きくなってタッチ開放時に大きさを固定する設定としている。
【０１０６】
前記ネガボタン９６は、タッチされた部分のネガ・ポジを反転する処理を行うツールである。  
前記のび〜るボタン９７は、図１３の説明図の（Ｎ）に示すように、タッチされた部分の色をドラッグされた方向へ伸ばす処理を行うツールである。
【０１０７】
前記のびきえ〜るボタン９８は、図１３の説明図の（Ｏ）に示すように、タッチされた部分の色をドラッグされた方向へ伸ばし徐々に消えていく処理を行うツールである。
【０１０８】
前記ぼかしボタン９９は、図１３の説明図の（Ｐ）に示すように、ぼかし、超ぼかし、究極ぼかしの３段階で、タッチされた部分の画像をぼかす処理を行うツールである。
【０１０９】
前記絵画風ボタン１００は、油絵調、パステル画調、ゴッホ調等、絵画風にエフェクターをかける処理を行うツールである。  
前記美白ボタン１０１は、図１３の説明図の（Ｑ）に示すように、美白、超美白、究極美白の３段階で、タッチされた部分の明度を上げる処理を行うツールである。
【０１１０】
前記色ペンボタン１０２は、カラーパレット１０４で選択されている色にてフリーハンドで描画できるツールであり、くっきりした輪郭の線を描くことができる。
【０１１１】
前記ブラシボタン１０３は、カラーパレット１０４で選択されている色にてフリーハンドで描画できるツールであり、ぼんやりした輪郭の線を描くことができる。
【０１１２】
前記拡大ボタン１０７及び縮小ボタン１０８は、加工画像表示枠１０５に表示する加工画像１０６を拡大／縮小表示するボタンである。  
前記サムネイル表示部１１１には、加工済み画像１１２を複数表示しており、現在選択されて加工中の画像についてはカーソル１１３で選択表示する。
【０１１３】
前記ＯＫボタン１０９は、加工ＯＫを入力するボタンであり、前記クリアボタン１１０は、各種ツール（９２〜１０３）を用いて加工した描画部分をクリアして元画像に戻すボタンである。
【０１１４】
このようにして加工処理を利用者に許容し、ＯＫボタン１０９がタッチされなければ（ステップｒ７）、経過時間が１分となるまで前記加工処理を継続し（ステップｒ８）、経過時間が１分となればステップｒ１３にスキップする。
【０１１５】
前記ステップｒ７でＯＫボタン１０９がタッチされると、変数であるｃｎｔに１加算し（ステップｒ９）、変数［画像（ｃｎｔ）］に加工データを代入して、加工画像の加工データを保存する（ステップｒ１０）。前記変数［画像（ｃｎｔ）］は、加工データ保存用変数である。
【０１１６】
なお、保存する加工データは、図１４の説明図に示すように、加工部分のみの画像データを保存する。図と共に保存画像が３枚の場合で目、瞳、髪、及び背景が加工された場合について説明すると、目については、ちっちゃボタン９４が使用された場合、図中の（Ｒ）に示すように小さくなった目の画像を保存する。
【０１１７】
でかっボタン９５が使用された場合には、（Ｓ）に示すように大きくなった目の画像を保存し、でかっボタン９５が長押し（タッチしたまま所定時間経過）された場合には、（Ｔ）に示すようにさらに大きくなった目の画像を保存する。なお、これらの目の画像は不透明画像とする。
【０１１８】
瞳については、色ペンボタン１０２が使用された場合に、（Ｒ），（Ｓ），（Ｔ）に示すように、使用された色の瞳の画像を保存する。なお、これらの瞳の画像は不透明画像とするが、透明画像としても良い。
【０１１９】
髪については、のび〜るボタン９７が使用された場合には、（Ｒ）に示すように一部が伸びた髪の画像を保存する。のびきえ〜るボタン９８が使用された場合には、（Ｓ）に示すように一部が伸びて消えていく髪の画像を保存する。あざやかボタン９２が使用された場合には、（Ｔ）に示すように一部の彩度を上げた髪の画像を保存する。なお、これらの髪の画像は不透明画像とする。
【０１２０】
背景については、（Ｒ），（Ｓ），（Ｔ）に示すように、様々な色のグラデーション画像などの背景画像を保存する。なお、これらの背景画像は透明画像とするが、不透明画像としても良い。
【０１２１】
このように加工データを制御装置１１内のＲＡＭに保存（記憶）した後、制御装置１１は、ｃｎｔが３であるか判定し（ステップｒ１１）、３でなければ経過時間が１分となるまで前記加工処理を許容し（ステップｒ１２）、経過時間が１分となればステップｒ１３にスキップする。
【０１２２】
前記ステップｒ５で１分が経過するか、前記ステップｒ８で１分を経過するか、前記ステップｒ１２で１分を経過すると、制御装置１１は変数［残数］に３−ｃｎｔを代入し、３枚作成可能に設定している加工画像の残数を算出する（ステップｒ１３）。ここで、前記変数［残数］は加工データ未保存数チェック用変数である。
【０１２３】
制御装置１１は、後述する加工画像出力用印刷データ作成処理を実行し（ステップｒ１４）、加工画像作成処理を終了する。
【０１２４】
次に、図１５に示す処理フロー図と共に、加工画像出力用印刷データ作成処理について説明する。
【０１２５】
制御装置１１は、まず変数［ｃｎｔ］に１を代入して初期化し（ステップｓ１）、ｃｎｔが変数［残数］より小さいか否かを判定する（ステップｓ２）。
【０１２６】
ここで、変数［ｃｎｔ］は印刷データ作成カウント用変数であり、変数［残数］は、前述の加工画像作成処理で格納した加工データ未保存数チェック用変数である。
【０１２７】
ｃｎｔが変数［残数］より小さい場合は、乱数シードの決定を行い（ステップｓ３）、数式
変数［出力Ｎｏ（ｃｎｔ）］＝ｉｎｔ（ｒｎｄ（）＊４．０）＋１
を実行する（ステップｓ４）。
【０１２８】
ここで、変数［出力Ｎｏ（ｃｎｔ）］は、出力スタンプ画像格納用変数であり、加工シール出力用として予め用意したデータであるスタンプ画像を格納する。これは、制限時間内に加工シールが作成されなかった場合に、このスタンプ画像から印刷するための処理である。
【０１２９】
また、ｉｎｔは少数を整数に変換する処理を実行する関数であり、ｒｎｄ（）＊４．０は０〜１．０の一様乱数（小数値）を発生させる処理を実行する関数である。
【０１３０】
制御装置１１は、ｃｎｔを１加算し（ステップｓ５）、ステップｓ２にリターンする。  
前記ステップｓ２でＮＯとなると、加工画像出力用印刷データ作成処理を終了する。
【０１３１】
以上の動作により、図１６の写真シールシート３３の正面図に示すように、元画像１２５と、該元画像１２５と独立した重ね貼り用画像１２６（１２６ａ，１２６ｂ，１２６ｃ）とを配置して印刷した写真シールシート３３を出力する事ができる。
【０１３２】
前記元画像１２５は、前述の撮影画像５７（図５）又は編集画像７２（図５）であり、重ね貼り用画像１２６は描画画像１２６ａ、加工画像１２６ｂ、又はスタンプ画像１２６ｃで構成する。
【０１３３】
前記描画画像１２６ａは、前述の加工処理にて色ペンボタン１０２やブラシボタン１０３等の描画ツールのみが用いられて描画された場合の画像である。  
前記加工画像１２６ｂは、前述の加工処理にて作成許容した加工画像１０６である。  
前記スタンプ画像１２６ｃは、前述の加工処理にて時間切れとなった場合に、前述の加工画像出力用印刷データ作成処理にて自動選択したスタンプ画像である。
【０１３４】
これらの画像は、利用者に切り取られて写真シール３４を形成することができる。従って、図１７の説明図に示すように、元画像１２５が切り取られると元画像シール１３１を形成し、重ね貼り用画像１２６（１２６ａ，１２６ｂ，１２６ｃ）が切り取られると重ね貼り用シール１３２を形成することとなる。
【０１３５】
図示するように元画像からなる元画像シール１３１の上に、加工画像Ｃ（１２６ｂ）からなる重ね貼り用シール１３２を重ねて貼り合わせ、さらに描画画像１２６ａからなる重ね貼り用シール１３２を重ねて貼り合わせることで、完成例に示すように複数の写真シール３４を効果的に重ね貼りした重合シール１３３を作成することができる。
【０１３６】
なお、この完成例はチェック柄の場所に重ね貼りした例であり、元画像シール１３１及び重ね貼り用シール１３２の透明部分は貼付対象物の表面のチェック柄が見えている。元画像シール１３１の全体に下地印刷を施した場合は、貼付対象物の表面柄が透けて見える部分はなくなることとなる。
【０１３７】
このようにして利用者は、まず元画像シール１３１だけで楽しむことができ、後に顔のイメージを変化させたくなれば、事後的に図中の加工画像１２６ｂを重ね貼りし、変化を楽しむことができる。
【０１３８】
従って、元画像１２５に合わせて作成した重ね貼り用画像１２６により、毛髪のカラーリングを施したイメージや、カラーコンタクトレンズを使用したイメージをゲームとして楽しむことができ、実際にカラーコンタクトレンズを購入する際等の参考とすることができる。
【０１３９】
また、派手な画像にしたければ描画画像１２６ａを重ね貼りすればよく、貼り合わせの自在な組合せを楽しむことができる。
【０１４０】
加工処理で時間切れとなっても、スタンプ画像１２６ｃを自動選択して印刷するため、同じ加工画像１２６ｂの重ね貼り用シール１３２を複数作成してしまうことを防止し、貼り合わせ遊びの応用を広げることができる。
【０１４１】
写真シール３４は透明であるため、何枚重ねて貼り合わせても透明部分には最下層の写真シール３４が見えることとなり、貼り合せた箇所が立体的に見えて視覚的にも楽しむことができる。
【０１４２】
また、重ねる順番は自由であり、例えば先に描画画像１２６ａの重ね貼り用シール１３２を貼り付けてから、その上に元画像シール１３１を貼り合わせることもできる。
【０１４３】
なお、シール紙３２の台紙（剥離紙）は、剥離面に模様を描く等により透明部分が解るようにしておくと良い。
【０１４４】
また、透明のシール紙３２の素材は、通常の平面のシート部材に限らず、凹凸のある透明素材で形成した立体感のあるシート部材で形成しても良い。また、平面のシート部材で形成したシール紙３２に、凹凸のある透明インクを重ねて印刷し、立体感ある写真シールシート３３を出力しても良い。
【０１４５】
これらの立体構成により、写真シール３４が一般的な平面状のものでなく立体となり、新しい面白さを提供することができる。
【０１４６】
上述の実施形態では、編集時間内で加工処理を可能に設定したため、例えば撮影処理の制限時間を２分、印刷処理の時間を１分とすると、図１８の説明図に示すように、貨幣投入から写真シールシート３３の出力までのプレイ時間は一定となる。
【０１４７】
すなわち、最初の段階では図中の（Ｕ）に示すように編集処理の最後１分が編集処理となるか加工処理となるか不明である。利用者に加工するボタン６３（図５）がタッチされなければ、（Ｖ）に示すように撮影時間２分、編集時間３分、印刷時間１分の計６分となり、加工するボタン６３がタッチされれば、（Ｗ）に示すように撮影時間２分、編集時間２分、加工時間１分、印刷時間１分の計６分となる。
【０１４８】
従って、貨幣投入から印刷開始までの接客時間、及び前記プレイ時間共に加工処理の有無では変化せず、加工処理を行いたい利用者には加工処理を許容した上で、利用者の回転率を一定に確保することができる。
【０１４９】
加工処理が行われなかった場合には、前述した印刷処理（ステップｎ４）により、図１９の正面図に示すように、編集画像７２を複数配置した通常の写真シールシート３３を出力することとなる。
【０１５０】
なお、シール紙３２に元画像１２５及び重ね貼り用画像１２６を印刷する際には、図２０の写真シール３３の正面図に示すように、各画像の切り取りサイズを示す十字のトンボ１４１、又は／及び、切取線１４２を印刷すると良い。
【０１５１】
この場合、元画像シール１３１と重ね貼り用シール１３２は同一サイズで同一起点（例えば左上角又は中心等）を備えて構成することとなる。
【０１５２】
これにより、利用者はトンボ１４１又は／及び切取線１４２に沿って写真シールシート３３を切り、取得した元画像シール１３１及び重ね貼り用シール１３２を正確に重ねて綺麗に貼り合わせることが容易となる。
【０１５３】
従って、目等の細かい部分に加工を施した場合でも、位置ずれによる違和感を防止して効果的に重ね貼りすることができる。
【０１５４】
また、写真シールシート３３と共にラミネートフィルムを出力すると良い。これにより、利用者は重ね貼りした後に上から透明のラミネートフィルムで保護することが可能となり、貼り合わせ後のはがれ防止を図ることができる。
【０１５５】
このラミネートフィルムは、別途提供しても良いが、写真シールシート３３に適度な面積の無印刷部分を確保するだけの構成としても良い。これにより、利用者は無印刷部分を自由に切り取って透明のラミネートフィルムとして利用でき、低コストで容易にラミネートフィルムを提供することができる。
【０１５６】
また、編集処理では通常の編集を行わず、撮影画像に対してすぐ加工処理を実行するように構成しても良い。この場合は、撮影画像で構成する元画像シール１３１と重ね貼り用の重ね貼り用シール１３２が確実に得られるため、編集を行っていないそのままの撮影画像による元画像シール１３１を常に取得することができる。利用者は後に重ね貼り用シール１３２を利用したくなった場合に重ね貼りすれば良いため、気分の変る利用者に対しても、重ね貼りによる変換で満足度を向上させることができる。
【０１５７】
また、前述した描画状態選択ボタン群６５（図５）には、背景レイヤーボタン、落書レイヤー（最上面レイヤー）ボタン、及び下地選択ボタンを追加して構成しても良い。
【０１５８】
この場合、前記背景レイヤーボタン及び落書レイヤーボタンは、描画ツールに作用し、描画レイヤー（画層）切替えボタンとして機能する。すなわち、落書レイヤーボタンが選択されていると、最上面のレイヤーである落書レイヤーに描画を許容して人物の前に表示し、背景レイヤーボタンが選択されていると、最下面のレイヤーである背景レイヤーに描画を許容して人物の後ろに表示する。
【０１５９】
前記下地選択ボタンは、タッチされると別画面を表示し、画像編集枠５４（図５）の背景に画面上で表示する下地画像を利用者に選択許容する。このとき、デジタルカメラ１２による下地画像撮影も許容し、例えば利用者が筆箱に写真シールを貼り付けたい場合に、筆箱の画像をデジタルカメラ１２で取り込み、透明の写真シールを貼り付けた際のイメージがどのようになるか確認しながら編集することを許容する。
【０１６０】
これにより、利用者が貼り付ける予定の下地に対して、編集している透明の写真シールを貼り付けるとどのように見えるかを、事前に確認することが可能となる。
【０１６１】
また、写真シール作成機１には、フレキシブルディスクやＣＤ−ＲＯＭ、不揮発性メモリといった記憶媒体内のデータを読み取る記憶媒体読取装置を備えても良い。  
これにより、一般のデジタルカメラで撮影した写真データ等を取り込み、元画像シール１３１又は重ね貼り用シール１３２の作成に利用することが可能となる。
【０１６２】
この発明の構成と、上述の実施形態との対応において、
この発明の写真撮影編集装置は、実施形態の写真シール作成機１に対応し、
以下同様に、
撮影手段は、デジタルカメラ１２に対応し、
編集手段は、モニタ１４及び入力装置１５に対応し、
印刷手段は、プリンタ１８に対応し、
編集対象画像は、撮影画像５７又は写真データに対応し、
印刷対象画像は、元画像１２５に対応し、
合わせガイドは、切取線１４２に対応し、
印刷処理及び分離印刷処理は、ステップｎ４に対応し、
編集処理は、ステップｐ１〜ｐ９に対応し、
重ね貼り用画像作成処理は、ステップｒ１〜ｒ１４に対応し、
他の取得手段は、記憶媒体読取装置に対応し、
取得画像は、写真データに対応するも、
この発明は、上述の実施形態の構成のみに限定されるものではなく、多くの実施の形態を得ることができる。
【図面の簡単な説明】
【０１６３】
【図１】写真シール作成機の外観を示す斜視図。
【図２】写真シール作成機の制御回路を示す回路ブロック図。
【図３】写真シール作成機の制御装置の全体動作を示す処理フロー図。
【図４】編集処理の処理フロー図。
【図５】編集画面の画面イメージ図。
【図６】表示色レイヤーと下地色レイヤーの説明図。
【図７】加工シール作成用表示の画面イメージ説明図。
【図８】加工画像作成処理の処理フロー図。
【図９】加工画像選択画面の画面イメージ図。
【図１０】加工部分指定画の画面イメージ図。
【図１１】加工範囲指定の説明図。
【図１２】加工画面の画面イメージ図。
【図１３】加工ツールの説明図。
【図１４】保存する加工データの説明図。
【図１５】加工画像出力用印刷データ作成処理の処理フロー図。
【図１６】写真シールシートの正面図。
【図１７】重ね貼りの説明図。
【図１８】処理時間の説明図。
【図１９】通常の写真シールシートの説明図。
【図２０】トンボ及び切取線を印刷した写真シールシートの正面図。
【符号の説明】
【０１６４】
１…写真シール作成機
１２…デジタルカメラ
１４…モニタ
１５…入力装置
１８…プリンタ
３２…シール紙
３３…写真シールシート
５７…撮影画像５
７２…編集画像
１２５…元画像
１２６…重ね貼り用画像
１４２…切取線
【図１】
2005175580.tif 000003
【図２】
2005175580.tif 000004
【図３】
2005175580.tif 000005
【図４】
2005175580.tif 000006
【図５】
2005175580.tif 000007
【図６】
2005175580.tif 000008
【図７】
2005175580.tif 000009
【図８】
2005175580.tif 000010
【図９】
2005175580.tif 000011
【図１０】
2005175580.tif 000012
【図１１】
2005175580.tif 000013
【図１２】
2005175580.tif 000014
【図１３】
2005175580.tif 000015
【図１４】
2005175580.tif 000016
【図１５】
2005175580.tif 000017
【図１６】
2005175580.tif 000018
【図１７】
2005175580.tif 000019
【図１８】
2005175580.tif 000020
【図１９】
2005175580.tif 000021
【図２０】
2005175580.tif 000022